(57)【特許請求の範囲】
【請求項１】
液晶パネルの背面から照明光を照射する液晶表示装置のバックライトユニットであって、
基板と、
前記基板上に配設されて複数エリアに分割された分割エリア毎に個別に駆動される光源部と、
前記光源部の光放射側に配置された拡散シート部と、
前記複数エリアの各境界部に位置するように前記基板上に固定・立設されて、光分割反射壁となるライトガイドと
を備え、
前記ライトガイドは、中央部が最も高く、前記中央部から壁と壁とが交わる端部に向けて低くなる頂部を有する
ことを特徴とする液晶表示装置のバックライトユニット。
【請求項２】
請求項１に記載の液晶表示装置のバックライトユニットにおいて、
前記ライトガイドの頂部は、前記中央部から前記端部に向けて円弧状に形成されている
ことを特徴とする液晶表示装置のバックライトユニット。
【請求項３】
請求項２に記載の液晶表示装置のバックライトユニットにおいて、
前記ライトガイドの頂部は、前記光源部側が凸状でなる２つの円弧で形成された
ことを特徴とする液晶表示装置のバックライトユニット。
【請求項４】
請求項２に記載の液晶表示装置のバックライトユニットにおいて、
前記ライトガイドの頂部は、前記拡散シート部側が凸状でなる１つの円弧で形成された
ことを特徴とする液晶表示装置のバックライトユニット。
【請求項５】
請求項１に記載の液晶表示装置のバックライトユニットにおいて、
前記ライトガイドの頂部は、三角形状で形成された
ことを特徴とする液晶表示装置のバックライトユニット。
【請求項６】
請求項１に記載の液晶表示装置のバックライトユニットにおいて、
前記ライトガイドの頂部は、台形形状で形成された
ことを特徴とする液晶表示装置のバックライトユニット。
【請求項７】
請求項１から６までのいずれか１項に記載の液晶表示装置のバックライトユニットにおいて、
前記ライトガイドは、前記頂部において最も高い前記中央部が前記拡散シート部の下部に形成された溝部内に係合して固定される
ことを特徴とする液晶表示装置のバックライトユニット。
【発明の詳細な説明】
【技術分野】
【０００１】
この発明は、液晶表示装置に用いられる光源部の光を複数のエリアに分割して拡散するための液晶表示装置のバックライトに関するものである。
【背景技術】
【０００２】
従来から、液晶表示装置のバックライトの光源として蛍光管やＬＥＤなどが用いられている。また、表示画面のコントラスト及び輝度を向上させるために、複数エリアに分割した表示画面に対応して異なる発光制御を行う光分割制御型の表示装置用バックライトユニットも提案されている（例えば、特許文献１参照）。また、この種の表示装置のバックライトユニットにおいては、複数エリアごとの光分割性能を向上させるために、各エリアの境界部に反射壁からなるライトガイドを設ける技術も提案されている（例えば、特許文献２参照）。
【０００３】
【特許文献１】特開２００５−２５８４０３号公報
【特許文献２】特開２００６−２１６５４３公報
【発明の開示】
【発明が解決しようとする課題】
【０００４】
しかしながら、従来のバックライトユニットにおいて、個々の分割エリア内では光源をエリア中央に配置しており、ライトガイドは均一な高さで形成されていたため、光源としてのＬＥＤの直上は明るいが、周辺部（壁近傍）では光量が低下し暗かった。特に、壁と壁が交わる部分は光源から最も遠くなりさらに暗くなるという問題点があった。
【０００５】
この発明は上述した点に鑑みてなされたもので、個々の分割エリア内で均一な面発光を行うことができる液晶表示装置のバックライトを得ることを目的とする。
【課題を解決するための手段】
【０００６】
この発明に係る液晶表示装置のバックライトは、液晶パネルの背面から照明光を照射する液晶表示装置のバックライトユニットであって、基板と、前記基板上に配設されて複数エリアに分割された分割エリア毎に個別に駆動される光源部と、前記光源部の光放射側に配置された拡散シート部と、前記複数エリアの各境界部に位置するように前記基板上に固定・立設されて、光分割反射壁となるライトガイドとを備え、前記ライトガイドは、中央部が最も高く、前記中央部から壁と壁とが交わる端部に向けて低くなる頂部を有することを特徴とする。
【発明の効果】
【０００７】
この発明によれば、ライトガイドの高さを均一とせず、中央部が最も高く、中央部から壁と壁とが交わる端部に向けて低くなる頂部を有することにより、分割制御バックライトの分割エリア内で均一な面発光を行うことができる。
【発明を実施するための最良の形態】
【０００８】
図１と図２は、この発明の実施の形態による液晶表示装置のバックライトを模式的に示す断面図とライトガイドの俯瞰図である。図１及び図２に示すバックライトは、図示しない液晶パネルの背面から照明光を照射するものであって、基板１と、基板１上に配設されて複数エリアに分割された分割エリア毎に個別に駆動される光源部（例えば、ＬＥＤなどの発光素子）２と、光源部２の光放射側に配置された拡散シート部３と、複数エリアの各境界部に位置するように基板１上に固定・立設された光分割反射壁となるライトガイド４（４は４ａと４ｂを総称する）とを備える。
【０００９】
ここで、ライトガイド４ａと４ｂは、互いに直交する位置に配置されるもので、ライトガイド４ｂに示されるように、中央部が最も高く、中央部から壁と壁とが交わる端部に向けて低くなるように円弧状に形成された頂部を有する。
【００１０】
また、拡散シート部３は、光を拡散させるための拡散板３Ａと、フィルム上に形成された拡散シート３Ｂと、集光機能を高めるためのプリズム拡散シート３Ｃと、偏光方向を一方向にするための偏光反射拡散シート３Ｄとが積層されて構成されている。
【００１１】
従って、上記実施の形態によれば、ライトガイド４の頂部は、高さが均一でなく、中央部が最も高く、中央部から壁と壁とが交わる端部に向けて低くなるよう円弧状に形成されているため、従来暗くなっていた部分の壁付近と拡散シート部の間に適度な隙間が生じ、連通する隣接分割エリアからの光が重畳されて壁周辺の光量が増し、分割制御バックライトの分割エリア内で均一な面発光を実現できる。
【００１２】
また、図３は、この発明の他の実施の形態によるライトガイド４の多様な頂部の形状を示す図である。図３（ａ）は、図１に示すライトガイド４と同様な頂部の形状を示すもので、拡散シート部３側が凸状でなる１つの円弧で形成された、いわゆるかまぼこ状の頂部４Ａを示している。これに対し、図３（ｂ）は、光源部２側が凸状でなる２つの円弧で形成された頂部４Ｂを示している。この場合、図３（ａ）に示す頂部４Ａよりも、隣接分割エリアとの連通空間が広まり、壁周辺の光量がさらに増すことで、分割エリア内でのさらなる均一な面発光を実現できる。また、図３（ａ）及び（ｂ）の他に、図３（ｃ）に示す如く三角形状の頂部４Ｃ、図３（ｄ）に示す如く台形形状の頂部４Ｄを採用しても、分割エリア内での均一な面発光を実現できる。
【００１３】
また、上述した図示実施の形態において、ライトガイド４は、光源部２側の基板１上のみで固定され、拡散シート部４側は固定されていないが、拡散シート部３の拡散板３Ａに溝部を形成して、ライトガイド４の頂部において最も高い中央部を、拡散シート部３の下部に形成された溝部内に差し込むことで係合して固定するようにすることで、ライトガイド４は、上下に固定部を持ち、振動や衝撃に対する強度が増し、振動等による破損が免れる。
【００１４】
また、上述した図示実施の形態において、拡散シート部３は、偏光反射拡散シート３Ｄを有し、これにより、縦方向の光を反射させることで分割エリア内の空間で多重反射させて再利用することにより、光の利用効率を高めることができる。
【００１５】
なお、拡散板３Ａに溝部を形成してライトガイド４を差し込んでいるが、その他に以下の方法でも同様の効果が得られる。
（１）拡散板３Ａとライトガイド４を接着する。
（２）拡散板３Ａに臍穴を開けライトガイド４を差し込む。
また、実施の形態では、拡散板３Ａのみで固定しているが、拡散シート３Ｂやプリズム拡散シート３Ｃ、偏光反射拡散シート３Ｄにまで固定処理を実施してもよい。
【図面の簡単な説明】
【００１６】
【図１】この発明の実施の形態による液晶表示装置のバックライトを模式的に示す断面図である。
【図２】この発明の実施の形態によるライトガイドの俯瞰図である。
【図３】この発明の他の実施の形態によるライトガイドの多様な頂部の形状を示す図である。
【符号の説明】
【００１７】
１  基板、２  光源部、３  拡散シート部、４，４ａ，４ｂ  ライトガイド、４Ａ，４Ｂ，４Ｃ，４Ｄ  頂部。
【図１】
0004997015.tif 000002
【図２】
0004997015.tif 000003
【図３】
0004997015.tif 000004